(57)【特許請求の範囲】
【請求項１】
Ｕ字状のゲート枠Ｇに扉シートＳの上縁を除く他の縁部を定着し、前記上縁は支持索により支持し、この支持索の一端または両端延長部を巻き上げることにより、Ｕ字状のゲート枠Ｇに対して前記扉シートＳを閉じ、逆に、前記支持索を巻き下ろすことにより、Ｕ字状のゲート枠Ｇに対して前記扉シートＳを開くことができるようにしたものにおいて、前記扉シートＳの左右両下隅付近から扉シートＳの上端中央付近に達する逆Ｖ字状に重り３を配置するとともに、前記逆Ｖ字状に配置される重り３の途中からそれぞれ斜め上方に別の重り４，４を配置したことを特徴とする通船・通水ゲート用シート式扉。
【請求項２】
逆Ｖ字状に配置される重り３の両下端を、ゲート枠Ｇの左右のフレームの下端に定着させたことを特徴とする請求項１記載の通船・通水ゲート用シート式扉。
【請求項３】
重り３、４，４の端部ないしその途中を、扉シートＳに取り付けられている吊り金具５で保持したことを特徴とする請求項１記載の通船・通水ゲート用シート式扉。
【請求項４】
支持索の巻き上げ・巻き下ろしを、通船・通水ゲートに備えられている電動ウインチ６で行うことを特徴とする請求項１記載の通船・通水ゲート用シート式扉。
【発明の詳細な説明】
【技術分野】
【０００１】
本発明は、ダムや貯水池の取水口に塵芥や流木が流出するのを防止し、あるいは、ダムや湖沼における汚濁・濁水ないしアオコ対策などの水質保全のために用いられる通船・通水ゲート用シート式扉の改良に関し、さらに詳しくは、シート式扉の扉シートに重りをどのように配置するかに関するものである。
【背景技術】
【０００２】
ダムや貯水池の取水口に塵芥や流木が流出するのを防止し、あるいは、ダムや湖沼における汚濁・濁水ないしアオコ対策などの水質保全のために、通船・通水ゲート用のシート式扉をダムや貯水池の取水口あるいはダムや湖沼の所定位置に設置することが行われている（例えば、特許文献１参照）。
【０００３】
この場合に用いられる扉シートの上縁は支持索により支持されており、この支持索の一端または両端延長部を巻き上げることにより、Ｕ字状のゲート枠に対して扉シートを閉じ、逆に、前記支持索を巻き下ろすことにより、Ｕ字状のゲート枠に対して扉シートを開くことができる、いわゆる開閉可能なものである。
【０００４】
そして、この扉シートには、例えば、その上端、途中、下端というように、通常チェンなどからなる重りが水平方向に配置されている。
【先行技術文献】
【特許文献】
【０００５】
【特許文献１】特公平４−２１２７号公報（第１図、第４図等参照）。
【発明の概要】
【発明が解決しようとする課題】
【０００６】
扉シートに対して重りがこのように取り付けられていると、特許文献１の第１図の状態から支持索を巻き下ろしてＵ字状のゲート枠に対して扉シートを開くと、この扉シートの上端及び途中に水平方向に配置した重りが、特許文献１の第４図に示すように、下突弧状の略放物線状に変形し、それに合わせて扉シートもほぼ同じ形状になる。
【０００７】
扉シートがこのように開くということは、シート式扉の左右両側において扉シートが完全に開き切らないところが出来るということであり、その部分が邪魔して通船あるいは通水に支障を来たすことになる。
【０００８】
本発明の目的は、扉シートに取り付けるべき重りの配置に工夫を凝らし、扉シートが開いた場合の上記欠点を解消しようとするものである。
【課題を解決するための手段】
【０００９】
上記目的を達成するために、本発明では、Ｕ字状のゲート枠Ｇに扉シートＳの上縁を除く他の縁部を定着し、前記上縁は支持索により支持し、この支持索の一端または両端延長部を巻き上げることにより、Ｕ字状のゲート枠Ｇに対して前記扉シートＳを閉じ、逆に、前記支持索を巻き下ろすことにより、Ｕ字状のゲート枠Ｇに対して前記扉シートＳを開くことができるようにしたものにおいて、前記扉シートＳの左右両下隅付近から扉シートＳの上端中央付近に達する逆Ｖ字状に重り３を配置するとともに、前記逆Ｖ字状に配置される重り３の途中からそれぞれ斜め上方に別の重り４，４を配置したことを特徴とする。
【００１０】
このようにすると、Ｕ字状のゲート枠Ｇに対して扉シートＳを開ける際、扉シートＳの左右両下隅付近から扉シートＳの上端中央付近に達する逆Ｖ字状に配置される重り３と、前記逆Ｖ字状の重り３の途中からそれぞれ斜め上方に配置される別の重り４，４とが、まず、図３に示すように、扉シートＳを全体的に下げて行き、その後、重り３が扉シートＳを中央から左右両端方向に引っ張りながら下げるとともに重り４，４を引っ張り下ろすので、やがて、図４に示すように、扉シートＳと重り３、４，４がＵ字状のゲート枠Ｇの下部フレーム付近に位置することになる。したがって、扉シートＳがＵ字状のゲート枠Ｇに近い形状にまで開き切ることになり、通船あるいは通水に全く支障がない。
【００１１】
逆Ｖ字状に配置される重り３の両下端を、ゲート枠Ｇの左右のフレームの下端に定着させると良い。このようにした場合には、通常チェンなどからなる重り３の重量が広い面積を有する扉シートＳに直接掛らないので、扉シートＳが損傷しにくい。
【００１２】
重り３、４，４の端部ないしその途中を、扉シートＳに取り付けられた吊り金具５で保持しておくのが良い。このようにした場合には、扉シートＳに対して重りを左右対称的な斜め方向に配置しやすいのみならず、通常チェンなどからなる重りが扉シートＳを擦ってそれが摩耗するのを軽減することができる。
【００１３】
支持索の巻き上げ・巻き下ろしを、通船・通水ゲートに備えられている電動ウインチ６で行うことが望ましい。このようにした場合には、Ｕ字状のゲート枠Ｇに対する扉シートＳの開閉を自動的に行うことができるのみならず、重い扉シートＳの開閉を軽い力で容易に行うことができる。
【発明の効果】
【００１４】
請求項１記載の発明によれば、扉シートＳがＵ字状のゲート枠Ｇに近い形状にまで開き切ることになり、通船あるいは通水に全く支障がない。
【００１５】
請求項２記載の発明によれば、重り３の重量が広い面積を有する扉シートＳに直接掛らないので、扉シートＳが損傷しにくい。
【００１６】
請求項３記載の発明によれば、扉シートＳに対して重りを左右対称的な斜め方向に配置しやすいのみならず、通常チェンなどからなる重りが扉シートＳを擦ってそれが摩耗するのを軽減することができる。
【００１７】
請求項４記載の発明によれば、Ｕ字状のゲート枠Ｇに対する扉シートＳの開閉を自動的に行うことができるのみならず、重い扉シートＳの開閉を軽い力で容易に行うことができる。
【図面の簡単な説明】
【００１８】
【図１】本発明による通船・通水ゲート用シート式扉の設置状態の一例を示す正面面で、扉シートが閉じられていてゲートを閉じた状態を示す。
【図２】図１の概略平面図である。
【図３】図１の閉じられた状態から扉シートを半分ほど開いた扉開途中の状態を示す正面図である。
【図４】図３の状態から扉シートを完全に開けた扉開完了状態を示す正面図である。
【発明を実施するための形態】
【００１９】
本発明を実施するための形態について、図１〜図４を参照しながら詳細に説明する。
本発明の通船・通水ゲート用シート式扉Ａとは、Ｕ字状のゲート枠Ｇの左右のフレームｇ，ｇとその両下端に水平状に接続されている下部フレームｇ’とに、１枚の扉シートＳの上縁を除く他の縁部、すなわち、左右の縁部ｓ、ｓと下側の縁部ｓ’とをそれぞれ定着し、前記上縁ｓ”は支持索１，１’により支持し、この支持索１の一端または両端延長部を巻き上げることにより、Ｕ字状のゲート枠Ｇに対して前記扉シートＳを閉じ、逆に、前記支持索１を巻き下ろすことにより、Ｕ字状のゲート枠Ｇに対して前記扉シートＳを開くことができるようにしたもので、通常、ダムや貯水池の取水口に塵芥や流木が流出するのを防止し、あるいは、ダムや湖沼における汚濁・濁水ないしアオコ対策などの水質保全のために用いられるものである。
【００２０】
ここでは、図１、図３、図４の左側に示すように、支持索１の一端がアーム２の先端に配置したシーブと称する滑車に定着してあって、この支持索１の他端（図１、図３、図４の右側）延長部を同じくシーブと称する複数の滑車を介して後述する電動ウインチ６で巻き上げ・巻き下ろす形式のものを例示してある。アーム２と電動ウインチ６の位置が図面に示す場合と逆になっていても良いし、電動ウインチ６を左右両側に配置し、支持索１の両端延長部を巻き上げ・巻き下ろす形式のものであっても良いことは、言うまでもない。
【００２１】
そして、ここでは、図１に示すように、１枚の扉シートＳの左右両下隅付近から扉シートＳの上端中央付近に達する逆Ｖ字状に重り３が配置され、前記逆Ｖ字状に配置される重り３の途中からそれぞれ斜め上方に別の重り４，４が配置されている。なお、ここでは、図１、図３、図４に示すように、これらの重り３、４，４をチェンからなるものとした場合が例示してある。
【００２２】
この場合には、Ｕ字状のゲート枠Ｇに対して扉シートＳを開ける際、扉シートＳの左右両下隅付近から扉シートＳの上端中央付近に達する逆Ｖ字状に配置される重り３と、前記逆Ｖ字状に配置される重り３の途中からそれぞれ斜め上方に配置される別の重り４，４とが、まず、図３に示すように、扉シートＳを全体的に下げて行き、その後、重り３が扉シートＳを中央から左右両端方向に引っ張りながら下げるとともに重り４，４を引っ張り下ろすので、やがて、図４に示すように、扉シートＳと重り３、４，４が重なり合うようにＵ字状のゲート枠Ｇの下部フレームｇ’付近に位置することになる。したがって、扉シートＳはＵ字状のゲート枠Ｇに近い形状にまで開き切ることになり、通船あるいは通水に全く支障がない。
【００２３】
図１、図３に示すように、ここでは、逆Ｖ字状に配置される重り３の両下端を、扉シートＳの左右両下隅に直接定着しないで、ゲート枠Ｇの左右のフレームｇ，ｇの下端に定着させた場合が例示されている。このようにした場合には、通常チェンなどからなる重り３の重量が広い面積を有する扉シートＳに直接掛らないので、扉シートＳが損傷しにくい。
【００２４】
また、ここでは、扉シートＳに対して左右対称的な斜め方向に配置される重り３，４の端部ないしその途中を、扉シートＳの所定位置に取り付けられている吊り金具５で保持した場合が例示されている。このように、重り３，４の端部ないしその途中を吊り金具５で保持した場合には、扉シートＳに対して重り３，４を左右対称的な斜め方向に配置しやすいのみならず、通常チェンなどからなる重り３，４が扉シートＳを擦ってそれが摩耗するのを軽減することができる。
【００２５】
さらに、ここでは、支持索１の巻き上げ・巻き下ろしを、通船・通水ゲートに備えられている電動ウインチ６で行う場合が例示されている。このように、支持索１の巻き上げ・巻き下ろしを電動ウインチ６で行う場合には、Ｕ字状のゲート枠Ｇに対する扉シートＳの開閉を自動的に行うことができるのみならず、重い扉シートＳの開閉を軽い力で容易に行うことができる。
【００２６】
ここでは、扉シートＳが１枚ものであり、しかも、メッシュ状でない材質のものからなっている場合を示すが、１枚ものではなく少し小さいものを互いに連結して１枚の広いシート状にしたものであっても良いし、材質をメッシュからなるものとしても良い。
【００２７】
なお、図１における図面符号ｓ１は、広い面積を有する扉シートＳの左右両側において扉シートＳがだぶ付いている状態を示している。
【符号の説明】
【００２８】
１，１’…支持索、３，４…重り、５…吊り金具、６…電動ウインチ、Ａ…通船・通水ゲート用シート式扉、Ｇ…ゲート枠、ｇ…左右のフレーム、ｇ’…下部フレーム、Ｓ…扉シート、ｓ…左右の縁部、ｓ’…下側の縁部、ｓ”…上縁。
【図１】
0005551747.tif 000002
【図２】
0005551747.tif 000003
【図３】
0005551747.tif 000004
【図４】
0005551747.tif 000005